(57)【要約】      （修正有）【課題】自着性粘着剤を用いた粘着シートに係り、使用時に粘着剤が人体に触れ、その粘着剤によって人体にアレルギー反応が生じてしまうことが抑制される粘着シートを提供する。【解決手段】基材２と、粘着剤で形成された粘着層３と、粘着剤に対して剥離性を有する剥離材４とをこの順に有し、粘着剤は相互の粘着性が高く、かつ他部材に対して粘着性が低い自着性粘着剤である。粘着剤は、ゴム系粘着剤が好ましく、剥離材の材質はポリエチレンテレフタレートが好ましい。【選択図】図１
0003231867.tif 000002
【実用新案登録請求の範囲】
【請求項１】
基材と、
粘着剤で形成された粘着層と、
前記粘着剤に対して剥離性を有する剥離材とをこの順に有し、
前記粘着剤は相互の粘着性が高く、かつ他部材に対して粘着性が低い自着性粘着剤である粘着シート。
【請求項２】
前記剥離材の両端近傍部分には、該両端近傍部分のみが剥離可能となる切込み線が各々設けられている請求項１に記載の粘着シート。
【請求項３】
前記基材における一方端近傍に折り曲げ線及び該折り曲げ線を起点とする他方端側の一部領域を剥離可能とする切込み線が設けられている請求項２に記載の粘着シート。
【請求項４】
前記粘着シートをリストバンドとして使用することを特徴とする請求項１〜３に記載の粘着シート。
【請求項５】
前記自着性粘着剤がゴム系接着剤であることを特徴とする請求項１〜４に記載の粘着シート。
【請求項６】
前記剥離材がポリエチレンテレフタレートであることを特徴とする請求項５に記載の粘着シート。
【考案の詳細な説明】
【技術分野】
【０００１】
本考案は、基材の片面に粘着層を介して剥離材が設けられた粘着シートに係り、この粘着シートを、トランクの取手部分やバッグの手提げ部分等に巻き掛けるようにして取り付けたり、テーマパーク、イベント会場等で腕に巻き付けて認証等を行なうリストバンド等として使用する粘着シートに関する。
【背景技術】
【０００２】
従来から、飛行機等の交通手段を用いてトランクやバッグ等の荷物を輸送する場合、トランクの取手部分やバッグの手提げ部分等に粘着シートを巻き掛けるようにして取り付けることが行われている。
【０００３】
また近年においては、レジ袋の有料化に伴ない、スーパーマーケット等での買い物の際に、レジ袋を使用せずに、個人用のバッグを持参し、レジでこの個人用のバッグの中に購入商品を詰め替えることが行われるようになっている。また、個人用のバッグに買物客が商品を詰め、レジで精算した後、このバッグをそのまま持ち帰るようにすることもなされている。
【０００４】
そして、このように購入商品を個人用のバッグに詰めるようにした場合において、すでに精算が終了しているかを明確にするため、購入商品を詰めた個人用のバッグの手提げ部分等に精算済みを示す粘着シートを取り付けることもしている。
【０００５】
またテーマパーク、イベント会場、コンサート会場においては、チケットを発行し、当該チケットによって会場や場内のアトラクションへの入場チェック等を行っているが、チケットを紛失することなく携帯するためには、チケットホルダー等が必要となるため、チケットを粘着シートとし、リストバンド化して腕に装着することも行われている。
【０００６】
ここで従来においては、上記粘着シートを使用するにあたり、粘着シートに塗布された粘着剤によって粘着シートが他の部分に接着された場合、簡単に剥がすことができなくなる一方、この粘着剤の粘着力が弱いと、タグを手荷物の取手部分等に巻き掛けて取り付けた後においても、この手荷物添付用粘着シートが手荷物の取手部分等から簡単に取り外れてしまうという問題があった。
【０００７】
そこで、手提げ部分等に巻き掛けて取り付けるにあたり、特許文献１に示されるように、基材の片面に、他の物品等との粘着力が小さく、粘着剤面相互の粘着力が大きい自着性粘着剤を設けた結束用自着性ラベルが開示されている。
【先行技術文献】
【特許文献】
【０００８】
【特許文献１】特開２０１０−２１７６２２号公報
【考案の概要】
【考案が解決しようとする課題】
【０００９】
この結束用自着性ラベルにおいては、ラベル自体が自着性を有することから、これまで粘着剤面に剥離材を設けることを想定していなかった。しかしながら、剥離材が設けられていないことから、使用時に粘着剤が人体に触れ、その粘着剤によって人体にアレルギー反応が生じてしまうおそれがあった。
【００１０】
そこで、本考案は、上記問題点を解決する粘着シートを提供することを目的としている。
【課題を解決するための手段】
【００１１】
上記本考案の目的は、以下の手段によって達成される。
【００１２】
請求項１の粘着シートによれば、
基材と、
粘着剤で形成された粘着層と、
前記粘着剤に対して剥離性を有する剥離材とをこの順に有し、
前記粘着剤は相互の粘着性が高く、かつ他部材に対して粘着性が低い自着性粘着剤であることを特徴としている。
【００１３】
上記構成によれば、粘着剤による人体のアレルギー反応が生じてしまうことが抑制される。
【００１４】
請求項２の考案によれば、上記請求項１に記載の粘着シートにおいて、  前記剥離材の両端近傍部分には、この両端近傍部分のみが剥離可能となる切込み線が各々設けられていることを特徴としている。
上記構成によれば、剥離材の両端近傍部分にこの両端近傍部分のみが剥離可能となる切込み線が各々設けられていることから、この切込み線で剥離材を剥がすことができ、その剥がした部分どおしでラベルを締結することができ、意図しない形状で自着性粘着部分が粘着してしまうことを回避できる。
【００１５】
請求項３の考案によれば、上記請求項２に記載の粘着シートにおいて、前記基材における一方端に折り曲げ線及び該折り曲げ線を起点とする他方端側の一部領域を剥離可能とする切込み線が設けられていることを特徴としている。
【００１６】
上記構成によれば、この切込み線によって剥離した基材部分を一方端の方へ展開して、折り曲げ線で剥離材へ向かって粘着シートを折り曲げると、この展開した部分が粘着面となって、他方端の剥離材を剥がした領域に貼り付けることができる。
【００１７】
請求項４の考案によれば、上記請求項１〜３に記載のラベルを、リストバンドとして使用することを特徴としている。
上記構成によれば、粘着シートをリストバンドとして使用することにより、テーマパーク、イベント会場等において、チケットをリストバンド化することによって、チケットを紛失することなく携帯するためのチケットホルダー等が必要でなくなる。
【００１８】
請求項５の考案によれば、上記請求項１〜４に記載の粘着シートにおいて、前記自着性粘着剤がゴム系接着剤であることを特徴としている。
【００１９】
上記構成によれば、より他の物品への粘着性が低く粘着層相互の粘着力が高いラベルを提供することができる。
【００２０】
請求項６の考案によれば、上記請求項５に記載の粘着シートにおいて、前記剥離材がポリエチレンテレフタレートであることを特徴としている。
【００２１】
上記構成によれば、保存安定性に優れ、大きな負荷をかけずに剥離材を剥がすことができる粘着シートを提供することができる。
【考案の効果】
【００２２】
本考案によって、使用時に粘着剤が人体に触れ、その粘着剤によって人体にアレルギー反応が生じてしまうことが抑制される。
【図面の簡単な説明】
【００２３】
【図１】本考案の第１の実施の形態に係るラベルの、（ａ）は表面（装着時に使用者から視認できる面）からみた図であり、（ｂ）は裏面から見た図であり、（ｃ）は側面から見た図である。
【図２】本考案の第１実施形態に係るラベルの一方の端部の領域と他方の端部の領域を粘着した時の側面図である。
【図３】本考案の第２実施形態に係るラベルの、（ａ）は表面（装着時に使用者から視認できる面）からみた図であり、（ｂ）は裏面から見た図であり、（ｃ）は側面から見た図である。
【図４】本考案の第２実施形態に係るラベルの使用工程における、切込み線によって剥離した基材部分を展開して、折り曲げ線で剥離材へ向かって折り曲げた状態を示す粘着シートの表面図である。
【図５】
【図４】において、他の態様の切込み線とした場合の粘着シートの表面図である。
【図６】本考案の第２実施形態に係るラベルの一方の端部の領域と他方の端部の領域を粘着した時の概略側面図である。
【考案を実施するための形態】
【００２４】
次に、この考案の実施の形態に係る粘着シートを添付図面に基づいて具体的に説明する。なお、この考案に係る粘着シートは、特に下記の実施の形態に示したものに限定されるものではなく、その要旨を変更しない範囲において適宜変更して実施できるものである。
（第１の実施の形態）
図１は、本考案に係る粘着シートの第１の実施の形態の構成を示す図であり、（ａ）は、表面（装着時に使用者から視認できる面）から見た図であり、（ｂ）は、裏面から見た図であり、（ｃ）は、側面から見た図である。図２は、図１に示す粘着シートの締結時の側面図である。
【００２５】
第１の実施の形態の粘着シートは、テーマパークや、コンサート会場、ライブ会場等のイベント会場においてチケットとして使用されるもの（リストバンド）であり、図１を参照すると、長尺状の基材２と、当該ラベル基材の裏面全体に塗布された粘着層３と、粘着層３に貼着されている剥離材４とからなる。
上記の基材の材質としては、本考案においては、一般に使用されている各種の紙（上質紙、コピー紙、アート紙等）や樹脂シート等を広く用いることができ、上記表面には各種の印刷及び印字等を行うことができる。なお、粘着層３が設けられる側の面に印刷等を行うこともできる。また水等が浸透するのを防止する等の目的で、オーバーコート層、アンダーコート層、中間層などの層を上記の基材２に設けることもできる。
【００２６】
そして、本考案に係る粘着シート１においては、基材２の裏面に設ける粘着層３における粘着剤として、他の部材への粘着性が低く粘着層３相互の粘着力が高い自着性粘着剤を用いている。
【００２７】
上述の粘着層３に用いる自着性粘着剤の材料としては、例えば、天然ゴムラテックスとスチレン−アクリルニトリル共重合体水性エマルジョンとを含むものや、天然ゴムとスチレン−イソプレン−スチレンブロック共重合体とを含むエラストマー、合成ゴム等のゴム系接着剤、アクリル系接着剤等を用いることができる。具体的には、サイデン化学株式会社のサイビノール（登録商標）加圧接着剤Ｅ（商品名）等を用いることができる。本考案においては、上述の他の部材への粘着性及び粘着層３相互の粘着力の観点からゴム系粘着剤を用いることが好ましい。
【００２８】
剥離材４の材質としては、本考案においては、ポリエチレンテレフタレート、ポリブチレンテレフタレート、ポリエチレンナフタレート等でできたもの、キャストコート紙、グラシン紙等の紙材も使用することができる。本考案においては、上述の自着性粘着剤に対して大きな負荷を掛けずに基材から剥がせて、かつ長期（半年〜１年）の保存安定性に優れているという観点から、自着性粘着剤の材料として、上述のゴム系粘着剤を用いた場合は剥離材としてグラシン紙を用いることが好ましく、ポリエチレンテレフタレートを用いることがより好ましい。
【００２９】
図１（ｂ）（ｃ）に示すように、剥離材４には、その剥離材４の両端からの近傍部分（本実施形態では例示として３０ｍｍ）の所に幅方向全体に渡って、使用時に剥離材４を各々剥がすことができるように切込み線５が設けられている。
【００３０】
粘着シート１（リストバンド）を腕に取り付ける際には、上述の剥離材４の両端近傍部分の切込み線５に沿ってＡ領域及びＢ領域６の部分の剥離材を粘着層３から剥がし、図２に示すように、粘着シート１を腕（図示せず）に巻き掛けるようにして装着して、上記Ａ領域とＢ領域とを貼り合わせる。これにより、粘着シート１（リストバンド）がリング状になって腕に取り付けられる。
【００３１】
この場合、粘着層３には他の部分への粘着性が低く粘着層３相互の粘着力が高い自着性粘着剤を用いていることから、この切込み線を剥がした領域どおしで粘着シートを締結することができ、意図しない形状で自着性粘着部分が粘着してしまうことを回避できる。
（第２の実施の形態）
図３は、本考案に係る粘着シートの第２の実施の形態の構成を示す図であり、（ａ）は、表面（装着時に使用者から視認できる面）から見た図であり、（ｂ）は、裏面から見た図であり、（ｃ）は、側面から見た図である。図６は、図３に示す粘着シートの装着時の概略側面図である（基材２、粘着層３、剥離材４の厚みを省略）。なお、各図において、第１の実施の形態と同一構成要素には同一符号を付している。
【００３２】
第２の実施の形態の粘着シート１もリストバンドを例示しており、図３を参照すると、上述の第１の実施の形態の粘着シートと同じく、長尺状の基材２と、当該基材２の裏面全体に塗布された粘着層３と、粘着層３に貼着されている剥離材４とからなるが、基材２の一方端の近傍部分（図示例では一方端から３０ｍｍ）の所に幅方向全体に渡って折り曲げ線７を設けている。本実施形態では折り曲げ線としてミシン線を用いているが、本考案においては、粘着シートを折り曲げられるものであれば、ミシン線に限定されない。さらにこの折り曲げ線７を起点として他方端側の一部領域を剥離可能とするように本実施の形態では半円状（半径８ｍｍ）の切込み線８を設けている。この場合、図３（ｂ）（ｃ）に示すように上記一方端と同じ側の剥離材４の切込み線５はその一方端から４５ｍｍの所に設けられてＡ領域を形成し、他方端の切込み線５は第１の実施の形態と同じくその他方端から３０ｍｍの所に切込み線５を設けてＢ領域を形成している。
【００３３】
次に、この第２の実施の形態の粘着シート１の使用について説明する。まず最初に、上述の基材２の切込み線８を剥がし、一方端の方に展開して図４に示すような粘着面９を形成する。次に剥離材４の一方端の切込み線５に沿って剥離材を剥がした（Ａ領域６の剥離材４が剥がされる）後、上述の折り曲げ線７で粘着シート１を裏面の剥離材４の方へ１８０度折り曲げる。この際、剥離材４の一方端の切込み線５は一方端から４５ｍｍの所に設けていることから、折り曲げた部分の基材の一部（４５−３０ｍｍ＝１５ｍｍ）はＡ領域６に貼り付いて図４に示すような形態となる。次に上述の他方端の剥離材４を切込み線５に沿って剥がし（Ｂ領域６の剥離材４が剥がされる）、粘着シート１を腕（図示せず）に巻き掛けるようにして装着して、この剥離材４が剥がされたＢ領域６と上述の粘着面９を貼り合わせる。これにより、粘着シート１（リストバンド）がリング状になって腕に取り付けられる（図６参照）。
【００３４】
図５は、上述の折り曲げ線７を起点として他方端側の一部領域を剥離可能とするようにした切込み線８の他の態様を示す図である。上述では半円状（半径８ｍｍ）の切込み線８としたが、図５における切込み線８は折り曲げ線７を起点として、この折り曲げ線７から他端方向の８mmの所で幅方向全体に渡って切込み線８を設けて、この切込み線８を一方端方向へ展開して、粘着剤面９を長方形状（方形状）にしたものである。本考案においては、このようにして折り曲げ線を起点として、上述の半円状、長方形、正方形等の方形状とすることができ、その他の形状として三角形状、曲線状等の様々な形状の粘着面とすることができる。
以上説明したように、この第２の実施の形態によれば、基材の一方端に設けた折り曲げ線を剥離材の方へ折り返し、この折り曲げ線を起点として他方端側の一部領域を剥離可能とする切込み線で基材を剥がして展開することにより、この展開部分が粘着面となって、他方端の剥離材を剥がした領域に貼り付けることができる。
【００３５】
本実施の形態では、粘着シート１として、イベント会場において使用するリストバンドを例示しているが、本考案においては勿論これに限定されず、トランクやバッグ等の荷物を飛行機等の交通手段を用いて輸送する場合のトランクの取手部分やバッグの手提げ部分等に巻き掛けるようにして取り付けるタグや、スーパーマーケット等での買い物の際に、購入商品を個人用のバッグに詰めるようにした場合において、すでに精算が終了しているかを明確にするため、当該個人用のバッグの手提げ部分等に取り付ける、精算済みを示すタグ、医療機関において患者識別用に使用するリストバンド、シャンプーのボトル等のノズル部分に巻回することができるアテンションラベル（ＰＯＰラベル）等において使用することができる。
【００３６】
これら実施形態において示した粘着ラベルの形状はあくまで一例であり、実用新案登録請求の範囲内において、トランクの取手部分、手首、ボトルのノズル部分等の被着体に巻き付けられるものであれば長尺状であるものに限定されず、様々な形状への変形が可能である。
【００３７】
また本考案において、基材の裏面全体に粘着層を介して剥離材を貼着させる必要はなく、被着体へ巻き回せるように任意の箇所に粘着層及び剥離材を形成させても良く、基材の裏面全体に剥離材を貼着させる場合において、被着体に巻き回せるように剥離材の任意の箇所に切込み線を設けても良い。
【００３８】
また本考案において、基材、粘着層及び剥離材の厚みは被着体へ巻き回せるものであれば、特に制限はない。
【符号の説明】
【００３９】
１              粘着シート
２              基材
３              粘着層
４              剥離材
５              剥離材の切込み線
６              Ａ領域、Ｂ領域
７              折り曲げ線
８              基材の切込み線
９              粘着面
【図１】
0003231867.tif 000003
【図２】
0003231867.tif 000004
【図３】
0003231867.tif 000005
【図４】
0003231867.tif 000006
【図５】
0003231867.tif 000007
【図６】
0003231867.tif 000008
【手続補正書】
【提出日】令和3年3月18日(2021.3.18)
【手続補正１】
【補正対象書類名】明細書
【補正対象項目名】００２３
【補正方法】変更
【補正の内容】
【００２３】
【図１】本考案の第１の実施の形態に係るラベルの、（ａ）は表面（装着時に使用者から視認できる面）からみた図であり、（ｂ）は裏面から見た図であり、（ｃ）は側面から見た図である。
【図２】本考案の第１実施形態に係るラベルの一方の端部の領域と他方の端部の領域を粘着した時の側面図である。
【図３】本考案の第２実施形態に係るラベルの、（ａ）は表面（装着時に使用者から視認できる面）からみた図であり、（ｂ）は裏面から見た図であり、（ｃ）は側面から見た図である。
【図４】本考案の第２実施形態に係るラベルの使用工程における、切込み線によって剥離した基材部分を展開して、折り曲げ線で剥離材へ向かって折り曲げた状態を示す粘着シートの表面図である。
【図５】本考案の第２実施形態に係るラベルの使用工程における、他の態様の切込み線によって剥離した基材部分を展開して、折り曲げ線で剥離材へ向かって折り曲げた状態を示す粘着シートの表面図である。
【図６】本考案の第２実施形態に係るラベルの一方の端部の領域と他方の端部の領域を粘着した時の概略側面図である。